(57)【要約】【課題】本発明は、ボビンを有するインダクタ部品において、唸り発生の抑制を目的とする。【解決手段】そして、この目的を達成するために本発明は、中脚７Ａを有する磁心７と、この中脚７Ａに磁気的に接続される磁心８と、中脚７Ａに挿入されるボビン１０とを備え、中脚７における磁心８対向面には、この磁心８対向面からはみ出すよう接着剤９Ａを塗布し、この接着剤９Ａにより中脚７Ａとボビン１０とを固着した構成としたものである。  この構成により、磁歪により発生する空気の圧迫を抑制することができ、唸りの発生を抑制することができる。【選択図】図１
2008140837.tif 000002
【特許請求の範囲】
【請求項１】
中脚を有する第１の磁心と、
この中脚に磁気的に接続される第２の磁心と、
前記中脚に挿入されるボビンとを備え、
前記中脚における前記第２の磁心対向面には、
この第２の磁心対向面からはみ出すよう接着剤を塗布し、
この接着剤により前記中脚と前記ボビンとを固着した
インダクタ部品。
【請求項２】
中脚とボビンとの間には空隙を設ける構成とした
請求項１に記載のインダクタ部品。
【請求項３】
第１の磁心は、その中脚に磁気的に接合される背脚を有し、
この背脚とボビンとは非接着状態とした
請求項１に記載のインダクタ部品。
【請求項４】
接着剤は、中脚における第２の磁心対向面の全周からはみ出すよう塗布した
請求項１に記載のインダクタ部品。
【請求項５】
第１の磁心の中脚と第２の磁心との間にはギャップスペーサを介在させた
請求項１に記載のインダクタ部品。
【請求項６】
第１の磁心は外脚を有するＥ型磁心とし、
前記第１の磁心における中脚と、
第２の磁心における前記中脚対向部とにより構成されるギャップを、
前記第１の磁心における外脚と、
第２の磁心における前記外脚対向部とにより構成されるギャップよりも大きくした
請求項１に記載のインダクタ部品。
【請求項７】
第１の磁心は外脚を有するＥ型磁心とし、
この第１の磁心における外脚と第２の磁心との間には緩衝材を介在させた
請求項１に記載のインダクタ部品。
【請求項８】
緩衝材は不織布とした請求項７に記載のインダクタ部品。
【請求項９】
緩衝材は粘着テープとした請求項７に記載のインダクタ部品。
【請求項１０】
請求項１〜９に記載のインダクタ部品を実装した電子機器。
【発明の詳細な説明】
【技術分野】
【０００１】
本発明は、ボビンを有するインダクタ部品とこれを用いた電子機器に関するものである。
【背景技術】
【０００２】
従来この種のインダクタ部品は、図２に示されるように、中脚１Ａ、外脚１Ｂを有するＥ型磁心１と、中脚２Ａ、外脚２Ｂを有するＥ型磁心２とを互いに対向させ、中脚１Ａと中脚２Ａ、外脚１Ｂと外脚２Ｂとをそれぞれ接着剤３Ａ、３Ｂで接着させ、閉磁路を構成していた。
【０００３】
そして、この閉磁路における中脚１Ａ、２Ａに挿入されるボビン４とこのボビン４に巻回されるコイル５とを備え、磁心１の背脚１Ｃの一部とボビン４の鍔部４Ｂの一部とを接着剤６により固着していた。
【０００４】
なお、この出願に関する先行技術文献情報としては、例えば、特許文献１が知られている。
【特許文献１】特開２００４−２００３３６号公報
【発明の開示】
【発明が解決しようとする課題】
【０００５】
このような従来のインダクタ部品は唸りの発生が問題となっていた。
【０００６】
すなわち、上記従来の構成においては、コイル５に交流電流が流れたときに発生する磁歪によりＥ型磁心１とＥ型磁心２との間隔が伸縮を繰り返し、それに起因して発生する、ボビン６内周部における、中脚１Ａ、２Ａ間の空気の圧迫により、唸りが発生することが問題となっていた。
【０００７】
そこで本発明は、ボビンを有するインダクタ部品において、唸り発生の抑制を目的とする。
【課題を解決するための手段】
【０００８】
そして、この目的を達成するために本発明は、中脚を有する第１の磁心と、この中脚に磁気的に接続される第２の磁心と、前記中脚に挿入されるボビンとを備え、前記中脚における前記第２の磁心対向面には、この第２の磁心対向面からはみ出すよう接着剤を塗布し、この接着剤により前記中脚と前記ボビンとを固着した構成としたものである。
【発明の効果】
【０００９】
本発明のインダクタ部品は、第１の磁心の中脚における第２の磁心対向面には、この第２の磁心対向面からはみ出すよう接着剤を塗布し、この接着剤により中脚とボビンとを固着した構成としたことにより、ボビンが、第１の磁心における中脚と第２の磁心との間隔を一定に保とうとする働きをする。その結果として、磁歪により発生する空気の圧迫を抑制することができ、唸りの発生を抑制することができる。
【発明を実施するための最良の形態】
【００１０】
（実施の形態１）
以下、本発明の実施の形態１におけるインダクタ部品について図面を参照しながら説明する。
【００１１】
図１に示すごとく、本実施の形態におけるインダクタ部品は、中脚７Ａ、外脚７Ｂを有するＥ型磁心７と、この中脚７Ａ、外脚７Ｂに対向する中脚８Ａ、外脚８Ｂを有するＥ型磁心８とを備えており、中脚７Ａと中脚８Ａ、外脚７Ｂと外脚８Ｂをそれぞれ接着剤９Ａ、９Ｂで接着させ、閉磁路を構成している。
【００１２】
ここで、中脚７Ａ、８Ａ間のギャップＡよりも、外脚７Ｂ、８Ｂ間のギャップＢを小さく構成している。この構成により、外脚７Ｂ、８Ｂ間からの漏洩磁束の発生を低減させている。
【００１３】
そして、中脚７Ａ、８Ａには、ボビン１０を挿入させ、このボビン１０には、コイル１１を巻回している。
【００１４】
ここで、このボビン１０と中脚７Ａ、８Ａとは、中脚７Ａ（あるいは中脚８Ａ）に塗布した接着剤９Ａの内、中脚７Ａ（あるいは８Ａ）における磁心８対向面（あるいは磁心７対向面）からはみ出たものにより固着させる構成としている。
【００１５】
この構成により、ボビン１１が、この中脚７Ａ（あるいは８Ａ）における磁心８対向面（あるいは磁心７対向面）からはみ出た接着剤９Ａにより、中脚７Ａ（あるいは中脚８Ａ）と磁心８（あるいは磁心７）との結合を強める働きをし、互いの間隔を一定に保とうとする働きをする。
【００１６】
その結果として、コイル１１に交流電流が流れたときに発生する磁歪によりＥ型磁心７とＥ型磁心８との間隔が伸縮を繰り返し、それに起因して発生するボビン１０内周部における、中脚７Ａと中脚８Ａとの間の空気の圧迫を抑制することができ、唸りの発生を抑制することができる。
【００１７】
また、ボビン１０と磁心７（あるいは磁心８）とを接着させる工程を個別に設ける必要が無く、製造工程の削減を図ることができる。
【００１８】
さらに、熱衝撃信頼性を向上させることができる。即ち、他の部品等からの空気を介して伝達される熱、あるいはコイル１１から発生した熱が、磁心７（あるいは磁心８）及びボビン１０に加わると、その熱膨張係数の違いから、互いの対向する位置にずれが生じてしまう。このとき、例えばボビン１０の鍔部１０Ａ（あるいは鍔部１０Ｂ）と、磁心７の背脚７Ｃ（あるいは磁心８の背脚８Ｃ）とを接着してしまうと、この対向する位置のずれに起因して磁心７（あるいは磁心８）又はボビン１０に割れ等が生じる恐れがある。
【００１９】
しかし、本実施の形態に示すごとく、ボビン１０と中脚７Ａ、８Ａとを、中脚７Ａ（あるいは中脚８Ａ）に塗布した接着剤９Ａの内、中脚７Ａ（あるいは８Ａ）における磁心８対向面（あるいは磁心７対向面）からはみ出たものにより固着させる構成、即ち、ボビン１０における接着面のほとんどが、中脚７Ａ、８Ａのギャップ部分と対向している構成にすることにより、ボビン１０と磁心７（あるいは磁心８）との対向面に存在する接着剤９Ａの量を減らすことができるため、その熱膨張係数の違いによる対向位置のずれを減少させることができるため、磁心７（あるいは磁心８）又はボビン１０の割れを抑制することができ、熱衝撃信頼性を向上させることができる。
【００２０】
従って、ボビン１０と中脚７Ａ、８Ａとの間は、中脚７Ａ（あるいは８Ａ）における磁心８対向面（あるいは磁心７対向面）からはみ出た接着剤９Ａのみで固着することが望ましく、ボビン１０と中脚７Ａ、８Ａとの間には、本実施の形態に示すごとく、空隙を有する構成とすることが望ましい。
【００２１】
さらに、この接着剤９Ａを、中脚７Ａ（あるいは８Ａ）における磁心８対向面（あるいは磁心７対向面）の全周からはみ出させるとともに、この全周からはみ出させた接着剤９Ａによりボビン１０の内周部と中脚７Ａ（あるいは中脚８Ａ）の外周部とを固着させる構成とすることにより、ボビン１０、中脚７Ａ、８Ａ間における空気の流れを遮断させることができ、その結果として、より唸りの発生を低減させることができ望ましい。
【００２２】
なお、図１に示すごとく、中脚７Ａと中脚８Ａとの間には、ギャップスペーサ１２を介在させることが望ましい。この構成により、接着剤９Ａの塗布量を削減することができる。
【００２３】
また、外脚７Ｂと８Ｂとの間には、弾力性のある緩衝材１３を介在させることが望ましい。この構成により、熱衝撃信頼性を向上させることができる。即ち、他の部品等から空気を介して伝達される熱、あるいはコイル１１から発生した熱により磁心７、８が伸縮することにより生まれる歪みを、この緩衝材１３に吸収させることにより熱衝撃信頼性を向上させることができる。
【００２４】
この緩衝材１３に、不織布を用いると、その高い弾力性により、より高い熱衝撃信頼性を得ることができる。
【００２５】
また、緩衝材１３に粘着テープを用いた場合には、コスト低減を図ることができる。
【００２６】
さらに、外脚７Ｂ、８Ｂ間を接着剤９Ｂにより接着するとともに、緩衝材１３を設ける構成とすると、熱衝撃信頼性を確保するとともに、外脚７Ｂ、８Ｂ間の空気の圧迫を防止することにより唸り抑制を図ることができる。
【産業上の利用可能性】
【００２７】
本発明のインダクタ部品は、唸りの発生を抑制することができるという効果を有し、各種電子機器において有用である。
【図面の簡単な説明】
【００２８】
【図１】本発明の実施の形態１におけるインダクタ部品の断面図
【図２】従来のインダクタ部品の断面図
【符号の説明】
【００２９】
７  磁心
７Ａ  中脚
８  磁心
９Ａ  接着剤
１０  ボビン
【図１】
2008140837.tif 000003
【図２】
2008140837.tif 000004